(57)【要約】【課題】高い振動が電気接続箱に加わっても、リレーと接続箱本体との間にガタはなく、接点部に損耗が引き起こされる虞がない電気接続箱を提供する。【解決手段】リレー（２０）と、リレー（２０）を収容できる収容空間（３０Ｐ）を備えた接続箱本体（３０）と、を備えた電気接続箱（１０）であって、リレー側に係止突起（２０Ｋ）を備え、接続箱本体（３０）側に係止突起（２０Ｋ）と係合する押さえ突起（３０Ｋ）を備え、全周に亘って連結されたガイド壁（３０Ｗ）を収容空間の境界に立設し、ガイド壁の一部をなす細幅の連結部位（３０Ｂ）に前記押さえ突起（３０Ｋ）を形成した。さらに、リレーが圧入する圧入リブ（３０Ｌ）をガイド壁（３０Ｗ）の下部内側にも形成した。【選択図】図１
2014217230.tif 000002
【特許請求の範囲】
【請求項１】
リレーと、前記リレーを収容できる収容空間を備えた接続箱本体と、を備えた電気接続箱であって、
前記リレー側に係止突起を備え、
前記接続箱本体側に前記係止突起と係合する押さえ突起を備えて成る電気接続箱において、
全周に亘って連結されたガイド壁を前記収容空間の境界に立設し、
前記ガイド壁の一部をなす細幅の連結部位に前記押さえ突起を形成したことを特徴とする電気接続箱。
【請求項２】
前記収容空間にリレーが収容されたとき、前記リレーが圧入する圧入リブを前記ガイド壁の下部内側に形成したことを特徴とする請求項１記載の電気接続箱。
【発明の詳細な説明】
【技術分野】
【０００１】
本発明は、リレーを装着する電気接続箱に関し、特に、振動に対してリレーを確実に抑えることができる電気接続箱に関する。
【背景技術】
【０００２】
ハイブリッド車を含む電気自動車には、バッテリとインバータなどを相互に電気的に接続するために、従来から電気接続箱が搭載されてきた。ところが、この電気接続箱は、自動車の振動などでガタ付きが生じることがあり、ガタ付きが生じると、リレーの端子と電気接続箱側の端子との間に振動による摩擦が生じ、端子が損耗する懸念があった。
そこで、電気接続箱の接続箱本体に装着された大型の重量のあるリレーのガタ付きを防止する電気接続箱が開示されている（特許文献１参照）。
【０００３】
〈特許文献１記載の電気接続箱〉  
図４は特許文献１記載の電気接続箱の一部分の斜視図である。
図４において、特許文献１記載の電気接続箱１００は、リレー２００と、このリレー２００を装着するための接続箱本体３００と、で構成される。そこで、リレー２００と接続箱本体３００について簡単に説明する。
【０００４】
〈リレー２００〉  
リレー２００は、リレーを内部に収容して成る絶縁樹脂製の直方体状物である。
リレー２００の底部外側からオス端子２００Ｔが４本下向きに突出しており、これら４本のオス端子２００Ｔは、上カバー３１０の収容空間３００Ｐにリレー２００が収容されたとき上カバー３１０の端子挿入孔３００Ｔに挿入される。
また、リレー２００の１つの側面と、この側面の対向側面とに、それぞれ次のような係止突起２００Ｋが形成されている。
【０００５】
〈係止突起２００Ｋ〉  
係止突起２００Ｋは、側面から直角に立ち上がる垂直面と、この垂直面から下方（挿入方向）に向けて側面に徐々に接近する傾斜面とから成る三角柱状物である。
上カバー３１０の収容空間３００Ｐにリレー２００が収容されたとき、係止突起２００Ｋは上カバー３１０の弾性係止枠片３００Ｋに係合して、リレー２００が上カバー３１０と、したがってまた、接続箱本体３００と一体化される。
【０００６】
〈接続箱本体３００〉  
接続箱本体３００は、絶縁樹脂製の上カバー３１０と同じく絶縁樹脂製の下カバー３２０とから成り、上カバー３１０と下カバー３２０とは上カバー３１０にある弾性係止枠片３００Ｒが下カバー３２０にある係止突起３２０Ｒと係合することにより一体化される。
【０００７】
〈上カバー３１０〉
上カバー３１０は、直方体形状のリレー２００を上カバー３１０の収容空間３００Ｐに収容するためのガイド壁３００Ｗを４個、上カバー３１０の表（おもて）面に立設している。
【０００８】
〈ガイド壁３００Ｗ〉
各ガイド壁３００Ｗは、直角を挟んだ２辺に沿ってそれぞれ所定な長さだけ延びる壁面３００Ｕ、３００Ｕが立設されて成る平面視Ｌ字状をした屏風状物である。
４個のガイド壁３００Ｗは、互いに直角（谷）側を内側に向けて所定間隔をあけて上カバー３１０の上面に直方体形状のリレー２００の平面視輪郭に沿って４隅に配設されている。これにより、４個のガイド壁３００Ｗで囲われた収容空間３００Ｐがリレー２００を収容する部位となる。
【０００９】
〈端子挿入孔３００Ｔ〉
上カバー３１０の収容空間３００Ｐには、端子挿入孔３００Ｔが複数個（本実施形態では４個であるが、図４では３個しか見えない。）、それぞれ上カバー３１０を貫通して形成されている。
各端子挿入孔３００Ｔには、上カバー３１０の収容空間３００Ｐにリレー２００が収容されたとき、リレー２００のオス端子２００Ｔが挿入され、端子挿入孔３００Ｔの直下に配設されている下カバー３２０側のメス端子に挿入される。
【００１０】
〈弾性係止枠片３００Ｋ〉
１個のガイド壁３００Ｗと、これに隣接するガイド壁３００Ｗとの間には所定の間隔があけられており、このスペースに弾性係止枠片３００Ｋが立設されている。
同じく上カバー３１０の四角の収容空間３００Ｐの対辺のスペースにも、もう１個の弾性係止枠片３００Ｋが立設されている。
上カバー３１０の収容空間３００Ｐにリレー２００が収容されたとき、弾性係止枠片３００Ｋにリレー２００の係止突起２００Ｋが係合して、リレー２００は上カバー３１０に、したがってまた、接続箱本体３００に係止する。
【００１１】
〈ガタ防止用突起３００Ａと３００Ｂ〉
Ｌ字状の各ガイド壁３００Ｗは、上部両端の内側から装着時のリレー２００に向けて水平方向に延びる２個の突起３００Ａ、３００Ａが形成され、下部曲折部の内側にも内側から装着時のリレー２００に向けて水平方向に延びる２個の突起３００Ｂ、３００Ｂが形成されている。
突起３００Ａと突起３００Ｂの壁面３００Ｕからの水平方向の高さは、突起３００Ａの高さの方が突起３００Ｂの高さよりも若干高く形成されている。
【００１２】
〈下カバー３２０〉
下カバー３２０は、図４では見えないけれど、内部に必要個数のバスバーと、各バスバーに電気的接続されて上方向に立ち上げられた接続端子とが収納されている。そして、各接続端子は、リレー２００のオス端子２００Ｔが挿入される上カバー３１０の端子挿入孔３００Ｔの真下に配置されている。
下カバー３２０は、車両ボディ等に対する固定として用いられるもので、固定用のブラケット３２０Ｂが形成されている。
【００１３】
〈特許文献１記載の電気接続箱のガタ詰め機能〉  
次に、特許文献１記載の電気接続箱の機能について図５および図６を用いて説明する。
図５は図４のリレーが装着された電気接続箱のＡ−Ａ矢視断面図、図６は同じく図４のリレーが装着された電気接続箱の平面図である。
図５において、各上側の突起３００Ａは各下側の突起３００Ｂよりもガイド壁３００Ｗの内面から水平方向に長く突出されており、図５、図６の如く、上側の突起３００Ａがガイド壁３００Ｗに隙間なく接触し、下側の突起３００Ｂがガイド壁３００Ｗとの間で若干の隙間Ｓ1を持って位置している。各ガイド壁３００Ｗは幅が短く高さが長いことから、樹脂材料自身の持つ弾性を板厚方向に有しており、壁ガイド壁３００Ｗが若干外向きに撓んだ状態で、上側の突起３００Ａはガイド壁３００Ｗに弾性的に当接している。
一方、ガイド壁３００Ｗの下端側の部分は撓みにくいから、下側の突起３００Ｂは３００Ｗとの間に若干の隙間Ｓ１を設けることで、リレー２００を下側の突起３００Ｂに沿って上カバー３１０の上壁面に当接するまで確実に挿入可能である。下側の突起３００Ｂは、リレー２００が振動で移動しようとした際に、リレー２００の外壁面に接触して揺動振動を抑止する機能を有している。
上側の突起３００Ａがガイド壁３００Ｗの両側に一対配置されたことで、リレー２００の外壁面を水平方向に安定に支持することができる。
【００１４】
〈特許文献１記載の電気接続箱の克服点〉  
リレー２００と接続箱本体３００とのロックは、ガイド壁３００Ｗと隣接ガイド壁３００Ｗとの間のスペースに立設されている弾性係止枠片３００Ｋと、リレー２００の側面に形成されている係止突起２００Ｋとの係合により達成されている。
しかしながら高い振動により電気接続箱に捻れが生じた場合、互いに分離しているガイド壁３００Ｗと隣接ガイド壁３００Ｗとが相対変形し、上述のせっかくのガタ詰め機能が損なわれ、リレー２００と接続箱本体３００との間のガタにより、リレー２００側の端子２００Ｔと接続箱本体３００側の端子との接点部に損耗が引き起こされる虞があった。
【先行技術文献】
【特許文献】
【００１５】
【特許文献１】特開２００７−２０３５７号公報
【発明の概要】
【発明が解決しようとする課題】
【００１６】
〈本発明の課題〉
本発明は、上記問題点を解決するためになされたもので、高い振動が発生しても、ガタ詰め機能が損なわれることのない、したがってリレー側の端子と接続箱本体側の端子との接点部に損耗が引き起こされる虞のない電気接続箱を提供することを目的としている。
【課題を解決するための手段】
【００１７】
上記課題を解決するために、本発明に係る電気接続箱（１）、（２）は次のことを特徴としている。
（１）リレーと、前記リレーを収容できる収容空間を備えた接続箱本体と、を備えた電気接続箱であって、
前記リレー側に係止突起を備え、
前記接続箱本体側に前記係止突起と係合する押さえ突起を備えて成る電気接続箱において、
全周に亘って連結されたガイド壁を前記収容空間の境界に立設し、
前記ガイド壁の一部をなす細幅の連結部位に前記押さえ突起を形成したこと。
（２）上記（１）の電気接続箱において、前記収容空間にリレーが収容されたとき、前記リレーが圧入する圧入リブを前記ガイド壁の下部内側に形成したこと。
【００１８】
上記（１）によれば、高い振動が電気接続箱に加わって電気接続箱に捻れが生じた場合、全周が連結されているガイド壁は同一方向に変位するようになり、前述の特許文献１のような相対変形をしなくなる。したがって、上述のガタ詰め機能が維持され、リレーと接続箱本体との間にガタはなく、接点部に損耗が引き起こされる虞がない。
上記（２）によれば、上カバーの収容空間に収容されたとき、圧入リブの間にリレーが圧入されるように作用する。したがって、リレーの下部においてもガタは発生しない。
【発明の効果】
【００１９】
上記発明によれば、高い振動が発生しても、ガタ詰め機能が損なわれることのない、したがってリレー側の端子と接続箱本体側の端子との接点部に損耗が引き起こされる虞のない電気接続箱が得られる。
【図面の簡単な説明】
【００２０】
【図１】図１は本発明に係る電気接続箱の一部分の斜視図である。
【図２】図２は図１のリレーが装着された電気接続箱のＡ−Ａ矢視断面図である。
【図３】図３は図１のリレーが装着された電気接続箱の平面図である。
【図４】図４は特許文献１記載の電気接続箱の一部分の斜視図である。
【図５】図５は図４のリレーが装着された電気接続箱のＡ−Ａ矢視断面図である。
【図６】図６は図４のリレーが装着された電気接続箱の平面図である。
【発明を実施するための形態】
【００２１】
以下に、高い振動が発生しても、ガタ詰め機能が損なわれることのない本発明に係る電気接続箱について、図１〜図３に基づいて説明する。
【００２２】
〈本発明に係る電気接続箱〉
図１は本発明に係る電気接続箱の一部分の斜視図である。
図１において、電気接続箱１０は、リレー２０と、このリレー２０を装着するための接続箱本体３０とで構成される。そこで、本発明に係るリレー２０と本発明に係る接続箱本体３０について説明する。
【００２３】
〈リレー２０〉  
リレー２０は、リレーを内部に収容して成る絶縁樹脂製の直方体状物である。
ただし、本発明ではリレーに限られるわけではなく、リレー以外の電気部品であってももちろんよい。
リレー２０の底部外側からオス端子２０Ｔが４本（図１では３本しか見えない）下向きに突出しており、これら４本のオス端子２０Ｔは、上カバー３１の収容空間３０Ｐにリレー２０が収容されたとき上カバー３１の端子挿入孔３０Ｔに挿入される。
また、リレー２０の１つの側面と、この側面の対向側面とに、それぞれ次のような係止突起２０Ｋが形成されている。
【００２４】
〈係止突起２０Ｋ〉  
係止突起２０Ｋは、側面から直角に立ち上がる垂直面と、この垂直面から下方（挿入方向）に向けて徐々に側面に接近する傾斜面とから成る三角柱状物である。
係止突起２０Ｋは、上カバー３１の収容空間３０Ｐにリレー２０が収容されたとき、上カバー３１側にある押さえ突起３０Ｋに係合して、リレー２０が上カバー３１と、したがってまた、接続箱本体３０と一体化する。
【００２５】
〈接続箱本体３０〉  
接続箱本体３０は、次に述べる絶縁樹脂製の上カバー３１と下カバー３２とから成り、上カバー３１と下カバー３２とは上カバー３１にある弾性係止枠片３０Ｒが下カバー３２にある係止突起３２Ｒと係合することにより一体化される。
【００２６】
〈上カバー３１〉
上カバー３１は、直方体形状のリレー２０を収容するため、全周が連結されたガイド壁３０Ｗを表面に立設し、ガイド壁３０Ｗで囲われた収容空間３０Ｐには、端子挿入孔３０Ｔが上カバー３１を貫通して形成されている。そこでガイド壁３０Ｗと端子挿入孔３０Ｔについて説明する。
【００２７】
〈ガイド壁３０Ｗ〉
ガイド壁３０Ｗは、全周が連結された平面視で略四角形をした壁で、次のような第１壁Ｗ１、第２壁Ｗ２、第３壁Ｗ３、第４壁Ｗ４から成っている。
【００２８】
〈第１壁Ｗ１の押さえ突起３０Ｋ〉
第１壁Ｗ１の辺方向の中間部位が、壁面の上方からと下方から抉（えぐ）りとられ、残った中間部位が両方の壁面と連結する連結部位３０Ｂとなっている。連結部位３０Ｂはこのように壁面の上方からと下方から抉りとられて残った樹脂製の部位であるので、両壁面よりも可撓性・弾性を有している。そして、連結部位３０Ｂの内側（リレー２０の収容側）から押さえ突起３０Ｋが１個、内方に向けて延びるように形成されている。
押さえ突起３０Ｋの形状は、リレー２０が上カバー３１の収容空間３０Ｐに収容されたとき、リレー２０の側面の係止突起２０Ｋと係合する形状となっている。
また、押さえ突起３０Ｋの連結部位３０Ｂからの高さは、リレー２０が上カバー３１の収容空間３０Ｐに収容されたとき、可撓性の連結部位３０Ｂが若干外向きに撓んだ状態となるような高さとなっている。
【００２９】
〈第１壁Ｗ１の圧入リブ３０Ｌ〉
第１壁Ｗ１の両端の下部内側には、内側から圧入リブ３０Ｌがそれぞれ１個、内方に向けて延びるように形成されている。
圧入リブ３０Ｌの第１壁Ｗ１からの高さは、リレー２０が上カバー３１の収容空間３０Ｐに収容されるとき、若干の挿入力でリレー２０が第１壁Ｗ１の圧入リブ３０Ｌと第３壁Ｗ３の圧入リブ３０Ｌとの間に圧入できる高さとなっている。
【００３０】
〈第２壁Ｗ２〉
第２壁Ｗ２は、辺方向の中間部位が壁面の下方から抉りとられた形状で、平面視で直線状になっている。
【００３１】
〈第３壁Ｗ３〉
第３壁Ｗ３は、第１壁Ｗ１と同じ構成である。
すなわち、第３壁Ｗ３の辺方向の中間部位が、壁面の上方からと下方から抉りとられ、残った中間部位が両方の壁面と連結する連結部位３０Ｂとなっている。連結部位３０Ｂはこのように壁面の上方からと下方から抉りとられて残った樹脂製の部位であるので、両壁面よりも可撓性を有している。そして、連結部位３０Ｂの内側から押さえ突起３０Ｋが１個内方に向けて延びるように形成されている。
押さえ突起３０Ｋの形状は、リレー２０が上カバー３１の収容空間３０Ｐに収容されたとき、リレー２０の側面の係止突起２０Ｋと係合する形状となっている。
押さえ突起３０Ｋの連結部位３０Ｂからの高さは、リレー２０が上カバー３１の収容空間３０Ｐに収容されたとき、可撓性の連結部位３０Ｂが若干外向きに撓んだ状態となるような高さとなっている。
また、第１壁Ｗ１の両端の下部内側には、内側から圧入リブ３０Ｌがそれぞれ１個内方に向けて延びるように形成されている。
圧入リブ３０Ｌの第１壁Ｗ１からの高さは、リレー２０が上カバー３１の収容空間３０Ｐに収容されるとき、若干の挿入力でリレー２０が第３壁Ｗ３の圧入リブ３０Ｌと第１壁Ｗ１の圧入リブ３０Ｌとの間に圧入できる高さとなっている。
【００３２】
〈第４壁Ｗ４〉
第４壁Ｗ４は、辺方向の中間部位が壁面の下方から抉りとられた形状で可撓性を備え、かつ、内側に向けて平面視でジグザグ状をした壁面構成となっている。したがって、ジグザグ状壁面のうち内側に突出した突出部位Ｐ１、Ｐ２がその弾力によりリレー２０を第２壁Ｗ２に向けて押すように機能するので、簡単な構成ながら、第４壁Ｗ４から第２壁Ｗ２方向へのガタは発生しない。
【００３３】
〈端子挿入孔３０Ｔ〉
上カバー３１の収容空間３０Ｐには、端子挿入孔３０Ｔが４個（図４では３個しか見えない。）、それぞれ上カバー３１を貫通して形成されている。
各端子挿入孔３０Ｔには、上カバー３１の収容空間３０Ｐにリレー２０が収容されたとき、リレー２０のオス端子２０Ｔが挿入され、端子挿入孔３０Ｔの直下に配設されている下カバー３２側のメス端子に挿入される。
【００３４】
〈下カバー３２〉
下カバー３２は、図１では見えないけれど、内部に必要個数のバスバーと、各バスバーに電気的接続されて上方向に立ち上げられた接続端子とが収納されている。そして、各接続端子は、リレー２０のオス端子２０Ｔが挿入される上カバー３１の端子挿入孔３０Ｔの真下に配置されている。
下カバー３２は、車両ボディ等に対する固定として用いられるもので、固定用のブラケット３２Ｂが形成されている。
【００３５】
〈本発明に係る電気接続箱のガタ防止機能〉  
次に、本発明に係る電気接続箱のガタ防止機能について図２および図３を用いて説明する。図２は図１のリレーが装着された電気接続箱のＡ−Ａ矢視断面図、図３は同じく図１のリレーが装着された電気接続箱の平面図である。
図２において、左右両側にある上側の押さえ突起３０Ｋと各下側の圧入リブ３０Ｌとにより、リレー２０の左右の上側と下側とを隙間無く装着している。そして、この状態で、押さえ突起３０Ｋがリレー２０の側面の係止突起２０Ｋと係合しているため、高い振動が発生してもリレー２０が接続箱本体３０から抜け出ることはない。
そして、図３に見られるように、全周が連結されたガイド壁３０Ｗはリレー２０全周に亘って包囲しているので、高い振動が電気接続箱に加わってリレー２０に捻れが生じた場合、全周が連結されているガイド壁３０Ｗは同一方向に変位するようになり、前述の特許文献１のような相対変形をしなくなる。したがって、上述のガタ詰め機能が維持され、リレー２０と接続箱本体３０との間にガタはなく、接点部に損耗が引き起こされる虞がない。
【００３６】
〈まとめ〉
上記のように、本発明によれば、
（１）ガイド壁３０Ｗはガタ防止機能を持たせる壁面中間部位を、上下方向から抉りとって、細幅の連結部位にして弾性をもたせ、連結部位の内側に押さえ突起を形成しているので、リレーが上カバーの収容空間に収容されたとき、可撓性の連結部位の押さえ突起がリレーを押しつけるように作用する。したがって、ガタは発生しない。
（２）同じく、ガイド壁３０Ｗの両端の下部内側に圧入リブを形成しているので、上カバーの収容空間に収容されたとき、圧入リブの間にリレーが圧入されるように作用する。したがって、リレーの下部においてもガタは発生しない。
（３）さらに、ガイド壁３０Ｗはリレー２０全周に亘って包囲しているので、高い振動が電気接続箱に加わって電気接続箱に捻れが生じた場合、全周が連結されているガイド壁３０Ｗは同一方向に変位するようになり、前述の特許文献１のような相対変形をしなくなり、したがって、上述のガタ詰め機能が維持され、リレー２０と接続箱本体３０との間にガタはなく、接点部に損耗が引き起こされる虞がない。
【符号の説明】
【００３７】
１０：電気接続箱
２０：リレー
２０Ｋ：係止突起
３０Ｐ：収容空間
２０Ｔ：オス端子
３０：接続箱本体
３０Ｂ：連結部位
３０Ｋ：押さえ突起
３０Ｌ：圧入リブ
３０Ｒ：弾性係止枠片
３０Ｔ：端子挿入孔
３０Ｗ：ガイド壁
３１：上カバー
３２：下カバー
３２Ｂ：固定用のブラケット
３２Ｒ：係止突起
Ｐ１、Ｐ１：突出部位
Ｗ１：第１壁
Ｗ２：第２壁
Ｗ３：第３壁
Ｗ４：第４壁
【図１】
2014217230.tif 000003
【図２】
2014217230.tif 000004
【図３】
2014217230.tif 000005
【図４】
2014217230.tif 000006
【図５】
2014217230.tif 000007
【図６】
2014217230.tif 000008